(57)【要約】      （修正有）【課題】多数の機能への容易なアクセスを可能にすると共にスペース需要も僅かで済むようなマンマシンインタフェースを操作する方法並びにマンマシンインタフェースの提供。【解決手段】制御ユニットと、タッチセンサ式表面として形成された少なくとも一つの操作面３２とを有する自動車用マンマシンインタフェース３０を操作する方法であって、少なくとも一つの操作面３２の少なくとも一つの任意のタッチポイント４６のタッチを認識するステップと、少なくとも一つの操作面上のタッチポイントの個数が認識されるステップと、少なくとも一つのタッチポイントが行う一つのジェスチャーが認識されるステップと、認識されたジェスチャー及び認識されたタッチポイントの個数に応じて制御ユニットによって一つの機能が実行されるステップとを含む。【選択図】図２ｂ
2019169128.tif 000002
【特許請求の範囲】
【請求項１】
制御ユニット（３４）と、タッチセンサ式表面として形成された少なくとも一つの操作面（３２）とを有する自動車用マンマシンインタフェース（３０）を操作する方法であって、
以下の当該ステップすなわち
ａ）少なくとも前記一つの操作面（３２）の少なくとも一つの任意のタッチポイント（４６）のタッチが認識されるステップと、
ｂ）少なくとも前記一つの操作面（３２）上のタッチポイント（４６）の当該個数が認識されるステップと、
ｃ）少なくとも前記一つのタッチポイント（４６）が行う一つのジェスチャーが認識されるステップと、
ｄ）認識された前記ジェスチャー及び認識されたタッチポイント（４６）の前記当該個数に応じて、前記制御ユニット（３４）によって一つの機能が実行されるステップと
を含んでなる方法。
【請求項２】
前記制御ユニット（３４）は、少なくとも前記一つのタッチポイント（４６）が一本の指によるタッチに対応しているか否か及び対応している当該タッチポイントが何個であるかを検知し、その際、一本の指によるタッチに対応しているタッチポイント（４６）のみが顧慮されることを特徴とする、請求項１に記載の方法。
【請求項３】
少なくとも前記一つの操作面（３２）の複数の任意のタッチポイント（４６）のタッチが認識され、その際、当該ジェスチャーは当該すべてのタッチポイント（４６）を用いて行われ、かつ、行われた当該ジャスチャーは、それがすべてのタッチポイント（４６）を用いて行われた場合にのみ、顧慮されることを特徴とする、請求項１又は２に記載の方法。
【請求項４】
前記制御ユニット（３４）はさまざまなジェスチャーを認識するように装備され、その際、さまざまなジェスチャーにはさまざまな機能が対応させられていることを特徴とする、請求項１から３のいずれか一項に記載の方法。
【請求項５】
前記さまざまなジェスチャーに対応させられている当該機能は一つの機能セットを表し、その際、使用される当該機能セットは、少なくとも前記一つの操作面（３２）上において認識された前記タッチポイント（４６）の当該個数及び／又は共同して当該ジェスチャーを行う認識された前記タッチポイント（４６）の当該個数に応じて、セレクトされることを特徴とする、請求項１から４のいずれか一項に記載の方法。
【請求項６】
前記操作面（３２）がいずれの指（単数／複数）で操作されるかが認識され、その際、当該機能及び／又は当該機能セットは使用された当該指（単数／複数）に応じてセレクトされることを特徴とする、請求項１から５のいずれか一項に記載の方法。
【請求項７】
前記操作面（３２）を操作する当該手（４４）が認識され、その際、当該機能及び／又は当該機能セットは使用された当該手（４４）に応じてセレクトされることを特徴とする、請求項１から６のいずれか一項に記載の方法。
【請求項８】
一つのジェスチャーは所定の方向への少なくとも前記一つのタッチポイント（４６）の一つの運動によって行われ及び／又は一つのジェスチャーは第一の所定の方向及び続いての第二の所定の方向への少なくとも前記一つのタッチポイント（４６）の一つの運動によって行われることを特徴とする、請求項１から７のいずれか一項に記載の方法。
【請求項９】
前記所定の方向は前記操作面（３２）に対して所定であり及び／又は前記制御ユニット（３４）は、前記タッチポイント（４６）相互の当該ポジションに基づいて、ユーザの当該手（４４）の当該位置を検知し、前記所定の方向は当該手（４４）の当該位置に対して所定であることを特徴とする、請求項８に記載の方法。
【請求項１０】
一つのジェスチャーは―前記タッチポイント（４６）が短時間だけ消失させられ、基本的に同一の当該箇所に再び設定されることによって―行われることを特徴とする、請求項１から９のいずれか一項に記載の方法。
【請求項１１】
前記機能及び／又は前記機能セットは、前記操作面（３２）から空間的に切り離されて、出力スクリーン（３６）上に表示されることを特徴とする、請求項１から１０のいずれか一項に記載の方法。
【請求項１２】
タッチセンサ式表面として形成された少なくとも一つの操作面（３２）と、請求項１から１１のいずれか一項に記載の方法を実施するべく装備された制御ユニット（３４）とを有し、少なくとも前記一つの操作面（３２）はデータ伝送のために前記制御ユニット（３４）と接続されているように構成した自動車用マンマシンインタフェース。
【請求項１３】
前記マンマシンインタフェースは、前記操作面（３２）及び／又は前記操作面（３２）の設けられた自動車部品から空間的に切り離されて配置された出力スクリーン（３６）を有し、認識された当該ジェスチャー及び認識されたタッチポイント（４６）の当該個数に応じて前記制御ユニット（３４）により実行される当該機能、使用可能な当該ジェスチャー及び／又は当該機能セットが前記出力スクリーン（３６）に表示されることを特徴とする、請求項１２に記載のマンマシンインタフェース。
【請求項１４】
前記マンマシンインタフェースは、少なくとも一つの自動車部品（１０、１２、１４、１６、１８、２０、２２、２４、２６、２８）を有し、前記操作面（３２）は少なくとも前記一つの自動車部品（１０、１２、１４、１６、１８、２０、２２、２４、２６、２８）に配置され、とりわけ、複数の自動車部品（１０、１２、１４、１６、１８、２０、２２、２４、２６、２８）が設けられて、複数の操作面（３２）がさまざまな自動車部品（１０、１２、１４、１６、１８、２０、２２、２４、２６、２８）に配置されていることを特徴とする、請求項１２又は１３に記載のマンマシンインタフェース。
【請求項１５】
前記自動車部品（１０）は、ハンドルホイール（１２）、シート（１４、１６）、ジョイスティック（２８）、ドアパネル（１８）、アームレスト（２０）、センタコンソール（２４）の一部、インストルメントパネル（２２）の一部及び／又はオーバヘッドパネル（２６）の一部であることを特徴とする、請求項１４に記載のマンマシンインタフェース。
【発明の詳細な説明】
【技術分野】
【０００１】
本発明は自動車用マンマシンインタフェースを操作する方法並びに自動車用マンマシンインタフェースに関する。
【背景技術】
【０００２】
自動車用マンマシンインタフェースは公知に属し、タッチセンサ式表面の採用がますます多くなっている。ただし、タッチセンサ式表面の当該操作は、ボタン操作に比較して、ユーザにそれまで以上の注意力を要求し、このことがユーザの注意力の逸脱、特に、交通状況からの注意の逸脱を結果することになる。
【０００３】
こうした理由から、重要な機能又は使用頻度の高い機能は、自動車のマンマシンインタフェースのそれぞれ一つ一つの別々のボタンによって達成可能とされる。ただし、それぞれの機能向けに一つの専用のボタンが設けられていなければならないために、当該スペース需要が高まることになる。
【発明の概要】
【発明が解決しようとする課題】
【０００４】
そこで、本発明の目的は、多数の機能への容易なアクセスを可能にすると共に、スペース需要も僅かで済むような、マンマシンインタフェースを操作する方法並びにマンマシンインタフェースを提供することである。
【課題を解決するための手段】
【０００５】
上記目的は、制御ユニットと、タッチセンサ式表面として形成された少なくとも一つの操作面とを有する自動車用マンマシンインタフェースを操作する方法であって、
以下の当該ステップすなわち
ａ）少なくとも上記一つの操作面の少なくとも一つの任意のタッチポイントのタッチが認識されるステップと、
ｂ）   少なくとも上記一つの操作面上のタッチポイントの当該個数が認識されるステップと、
ｃ）少なくとも上記一つのタッチポイントが行う一つのジェスチャーが認識されるステップと、
ｄ）認識された当該ジェスチャー及び認識されたタッチポイントの当該個数に応じて、上記制御ユニットによって一つの機能が実行されるステップと
を含んでなる方法によって達成される。
【０００６】
このようにして、非常に多くのさまざまな機能への非常に容易かつ直感的なアクセスが可能である。さまざまな当該ジェスチャーは、自動車乗員に、常用の器具とりわけスマートフォンから知られている。一つのジェスチャーの当該実施によって実行可能な当該機能の数は、タッチポイントの当該個数の当該認識によって増倍される。当該同一の操作面を経てさまざまな機能が達成可能であることから、当該所要スペースは僅かである。
【０００７】
その際、当該機能とは、例えばメディア出力の制御、ナビゲーションシステムの制御又は電話の制御等の自動車コンポーネントの制御機能である。例えば、当該機能により、現下の当該音楽再現を中断し、当該音量を変更し又は当該ナビゲーションを中止することができる。
【０００８】
好ましくは、上記制御ユニットは、少なくとも上記一つのタッチポイントが一本の指によるタッチに対応しているか否か及び対応している当該タッチポイントが何個であるかを検知し、その際、一本の指によるタッチに対応しているタッチポイントのみが顧慮される。これによって、例えば当該母指球による当該操作面の不注意なタッチは無視され、こうして、当該マンマシンインタフェースの当該操作はいっそう簡易化される。一本のタッチペン又は同様な補助手段によるタッチは１本の指によるタッチと同等に扱われることが可能である。
【０００９】
例えば、少なくとも上記一つの操作面の複数の任意のタッチポイントのタッチが認識され、その際、当該ジェスチャーは当該すべてのタッチポイントを用いて行われ、かつ、行われた当該ジェスチャーは、それがすべてのタッチポイントを用いて行われた場合にのみ、顧慮される。とりわけ、当該ジェスチャーは、それがすべてのタッチポイントを用いて行われる場合にのみ、顧慮される。このようにして、誤操作を効果的に防止することができる。
【００１０】
本発明の一態様において、上記制御ユニットはさまざまなジェスチャーを認識するように装備され、その際、さまざまなジェスチャーにはさまざまな機能が対応させられており、これによって、速やかに達成可能な機能の当該数をいっそう増加させることができる。上記制御ユニットが認識し得るさまざまな当該ジェスチャーは、使用可能なジェスチャーとも称される。とりわけ、各々のジェスチャーにはそれぞれ異なった一つの機能が対応させられている。
好ましくは、さまざまな当該ジェスチャーに対応させられている一連の当該機能は一つの機能セットを表し、その際、使用される当該機能セットは、少なくとも上記一つの操作面上において認識された上記タッチポイントの当該個数及び／又は共同して当該ジェスチャーを行う認識された上記タッチポイントの当該個数に応じて、セレクトされる。これによって、当該マンマシンインタフェースの当該操作をさらに簡易化することが可能である。
【００１１】
その際、一つの機能セットは複数の機能、とりわけ、上記制御ユニットが認識し得るジェスチャーの当該数と同じだけの数の機能を含んでいる。
【００１２】
当該一連の機能セットは、特に、さまざまな自動車コンポーネントに対応させられていてよく、例えば、当該ナビゲーションシステムを操作するための一つの機能セット、当該電話を操作するための別の一つの機能セットが設けられている。
【００１３】
本発明の一態様において、いずれの指（単数／複数）で上記操作面が操作されるかが認識され、その際、当該機能及び／又は当該機能セットは使用された指（単数／複数）に応じてセレクトされ、これによって、単一のジェスチャーによって実行可能な当該機能はさらに増加させられることになる。
【００１４】
例えば、上記操作面を操作する当該手が認識され、その際、当該機能及び／また当該機能セットは使用された当該手に応じてセレクトされる。このようにして、速やかに達成可能な機能の当該数も増加させることが可能である。
【００１５】
加えてさらに、例えば、当該ドライバーが上記操作面を操作するのかそれとも当該助手席同乗者が操作するのかを検知するために、当該操作面が右手で使用されるかそれとも左手で使用されるかを識別することが可能である。
【００１６】
好ましくは、一つのジェスチャーは少なくとも上記一つのタッチポイントの所定の一方向への運動によって行われ及び／又は一つのジェスチャーは少なくとも上記一つのタッチポイントの第一の所定の方向及び続いての第二の所定の方向への運動によって行われ、これによって、当該ジェスチャーの容易な、ただし明確な認識が可能である。例えば、上記第一と第二の所定の方向は互いに逆向きであるか又は互いに垂直をなしている。
【００１７】
一実施形態において、上記所定の方向とは、上記操作面に対して所定の方向である。
【００１８】
別法として又はさらに加えて、上記制御ユニットは、当該タッチポイント相互の当該ポジションに基づいてユーザの当該手の当該位置を検知し、その際、上記所定の方向とは当該手の当該位置に対して所定の方向である。
【００１９】
多数のジェスチャーを供し得るようにすべく、一つのジェスチャーは、当該タッチポイントが短時間だけ消失若しくは当該タッチポイントを生み出す当該指が短時間だけ引き離されて、再び基本的に同じ箇所に置かれることによって行われる。
【００２０】
例えば、さらにその他のジェスチャーが、多数回に及ぶ消失ないし引き離し並びに再度の載置によって行われることも思量可能である。また、さまざまなジェスチャーを、新たなタッチまでに経過した時間によって識別することも可能である。
【００２１】
本発明のさらに別の実施形態において、当該機能及び／又は当該機能セットは、当該ユーザの注意力の逸脱をできるだけ少なくすべく、上記操作面から空間的に切り離された出力スクリーン上に表示される。
【００２２】
当該出力は、少なくとも上記一つの操作面の少なくとも一つの任意のタッチポイントのタッチが認識されるや直ちに及び／又は少なくとも上記一つの操作面をタッチするタッチポイントの当該個数が認識されるや直ちに、例えば使用可能な当該ジェスチャーと共に行われことができる。
【００２３】
さらに、上記目的は、タッチセンサ式表面として形成された少なくとも上記一つの操作面と、本発明による方法を実施するべく装備された制御ユニットとを有し、少なくとも上記一つの操作面はデータ伝送のために上記制御ユニットと接続されているように構成した自動車用マンマシンインタフェースによって達成される。
【００２４】
好ましくは、上記マンマシンインタフェースは、上記操作面及び／又は上記操作面の設けられた自動車部品から空間的に切り離されて配置された出力スクリーンを有し、認識された当該ジェスチャー及び認識されたタッチポイントの当該個数に応じて上記制御ユニットによって実行される当該機能、使用可能な当該ジェスチャー及び／又は当該機能セットが上記出力スクリーンに表示される。これによって、上記マンマシンインタフェースの当該操作はさらに簡易化される。
【００２５】
一態様において、上記マンマシンインタフェースは少なくとも一つの自動車部品を有し、その際、上記操作面は少なくとも上記一つの自動車部品に配置され、とりわけ、複数の自動車部品が設けられ、その際、複数の操作面がさまざまな自動車部品に配置されている。これによって、当該ユーザはますます容易に上記操作面に達することができる。
【００２６】
複数の上記操作面は、一つのシートとりわけ当該ドライバーシートの異なった側に設けられていてよい。
【００２７】
好ましくは、複数の上記操作面は同一の機能性を有する。
【００２８】
例えば、上記操作面は、それぞれの当該自動車部品の当該表面積の少なくとも５０％、とりわけ少なくとも７５％に及んでいる。
【００２９】
上記操作面は当該自動車部品の装飾面の下に配置されていてよく、これによって、当該装飾面はタッチセンサ式表面の一部となる。
【００３０】
別法として又はさらに加えて、上記操作面及び／又は上記自動車部品は、触覚的フィードバックのための一つの機械式フィードバック素子を有していてよく、とりわけ、振動モータ、圧力抵抗及び／又は超音波源を有していてよい。
【００３１】
例えば、上記操作面の容易な操作を可能とすべく、上記自動車部品は、ハンドルホイール、シート、ジョイスティック、ドアパネル、アームレスト、センタコンソールの一部、インストルメントパネルの一部及び／又はオーバヘッドパネルの一部である。
【００３２】
本発明のその他の特徴及び利点は、以下の当該説明並びに参照される当該添付図面から判明する通りである。各図は以下を示している。
【図面の簡単な説明】
【００３３】
【図１ａ】本発明によるマンマシンインタフェースを備えた自動車コックピットの斜視図である。
【図１ｂ】当該マンマシンインタフェースの操作面の領域における、図１ａに示した当該コックピットの一部の概略的な断面図である。
【図２ａ】本発明による方法を具体的に示す図である。
【図２ｂ】本発明による方法を具体的に示す図である。
【図２ｃ】本発明による方法を具体的に示す図である。
【図３ａ】本発明による方法を具体的に示す図である。
【図３ｂ】本発明による方法を具体的に示す図である。
【図３ｃ】本発明による方法を具体的に示す図である。
【図４ａ】本発明による方法を具体的に示す図である。
【図４ｂ】本発明による方法を具体的に示す図である。
【図４ｃ】本発明による方法を具体的に示す図である。
【発明を実施するための形態】
【００３４】
図１ａには、自動車のコックピットが表されている。
【００３５】
当該コックピットは、通例、さまざまな自動車部品１０―例えば、ハンドルホイール１２、ドライバーシート１４、助手席同乗車シート１６、ドアパネル１８、アームレスト２０、インストルメントパネル２２、センタコンソール２４及びオーバヘッドパネル２６―を有している。
【００３６】
当該コックピットには、さらに、ジョイスティック２８が設けられていてよい。
【００３７】
さらに、当該コックピットは、図示実施例において、複数のタッチセンサ式表面として形成された複数の操作面３２、少なくとも一つの制御ユニット３４及び複数の出力スクリーン３６を含んだマンマシンインタフェース３０を有している。
【００３８】
当該制御ユニット３４は、当該出力スクリーン３６及び当該操作面３２と、データ伝送のために接続されている。これは、有線又は無線で、行われることができる。
【００３９】
出力スクリーン３６として、図１ａには、インストルメントパネル２２に二つのスクリーン３７．１、３７．２が設けられていると共に、ヘッドアップディスプレイ３８（ＨＵＤ）のスクリーンが同じく出力スクリーン３６として設けられている。
【００４０】
図示実施例において、当該マンマシンインタフェース３０は、当該自動車部品１０のさまざまな部品に十一箇所の操作面３２を有している。当該操作面３２が設けられている当該自動車部品１０は、したがって、当該マンマシンインタフェース３０の一部である。
【００４１】
ただし、上記操作面３２の上記の数は、一例として理解されなければならない。当該マンマシンインタフェース３０は、同じく、当該自動車部品１０のいずれか一つの部品の一つの操作面３２のみで構成されているか又はその他の任意の数の操作面３２で構成されていてもよい。
【００４２】
図示実施形態において、当該ドライバー側ドアないし当該助手席同乗者側ドアのそれぞれ一枚のドアパネル１８又はそれに付属するアームレスト２０に操作面３２が配置されている。
【００４３】
同じく、ドライバー領域のオーバヘッドパネル２６にも一つの操作面３２が配置されている。
【００４４】
さらに別の操作面３２がハンドルホイール１２に設けられており、その際、図１ａにおいて、当該操作面３２は当該ハンドルホイール１２の当該前面に表されている。当該操作面３２が当該ハンドルホイール１２の背面にまで延びあるいはそれが同所にのみ形成されているのも可能でありかつ有用である。
【００４５】
さらに、インストルメントパネル２２に一つの操作面３２が設けられ、センタコンソール２４に一つのそれが設けられている。
【００４６】
また、操作面３２はドライバーシート１４と助手席同乗者シート１６に設けられて、特に、シートの位置調節に使用される。具体的に分かりやすく図示すべく、これらの操作面は当該シート１４、１６の表側に表されている。ただし、これらは、当該シート１４、１６の横側の、当該シート位置調節装置の公知のポジションに位置していてもよい。
【００４７】
当該ジョイスティック２８には、少なくとも一つの操作面３２も設けられている。例えば、ジョイスティック２８の当該操作面３２は、当該ジョイスティック２８の、ユーザの指先が密接し得る箇所に設けられたさまざまな領域に配分されている。
【００４８】
具体的に分かりやすく図示すべく、上述した操作面３２は、それぞれ空間的に非常に限定されて表されている。言うまでもなく、当該操作面３２はもっとずっと大きくてもよく、それぞれの当該自動車部品１０の当該表面積の例えば少なくとも５０％、とりわけ少なくとも７５％を占めていてもよい。この場合、考慮されているのは、当該それぞれの自動車部品１０の当該車内側の表面積のみである。
【００４９】
例えば、当該操作面３２は、大きな操作面３２を視覚的にアピールするようにして実現し得るように、それぞれの当該自動車部品１０の装飾表面の上側又は下側に設けられていてよい。当該操作面３２はタッチセンサ式フィルムを含むことができる。
【００５０】
当該操作面３２の少なくとも一つは、当該出力スクリーン３６の一つと共に、タッチディスプレイとして形成されていてよいことは言うまでない。
【００５１】
図１ｂには、一例として、一つの自動車部品１０に設けられた一つの操作面３２の断面が表されている。
【００５２】
図示実施例において、当該操作面３２は、当該自動車部品１０に直接取り付けられているわけではなく、当該操作面の下側に、光学素子４０―この場合、さらに別のスクリーン―が設けられている。ただし、当該光学素子４０はＬＥＤマトリックス又は個々のＬＥＤであってもよい。
【００５３】
当該スクリーンと当該操作面３２とは共同して、例えばスマートフォン又はタブレットから公知の、タッチセンサ式タッチディスプレイを形成する。操作面３２と光学素子４０の順序は入れ替えられ及び／又は加えてさらに保護層が当該外側面に設けられることも思量可能であることは言うまでない。
【００５４】
さらに、当該操作面３２と当該自動車部品１０との間には機械式フィードバック素子４２が設けられている。それは、図示実施例において、当該操作面３２を振動させることのできる振動モータである。
【００５５】
当該機械式フィードバック素子４２は、（例えばキーボードの）プッシュキーから公知のタイプの圧力抵抗であることも思量可能である。当該圧力抵抗は、当該操作面３２のプッシュ時に触覚的フィードバックを供するために、機械式反力による一定の圧点を生み出すことができる。
【００５６】
ただし、当該機械式フィードバック素子４２は、当該操作面３２のプッシュ時に触覚的フィードバックを供するために、ユーザの当該指の方向に超音波を発射する超音波源であることも思量可能である。
【００５７】
図２ａから図２ｃ、図３ａから図３ｃ及び図４ａから図４ｃには、当該マンマシンインタフェース３０を操作する方法を説明するために、概略的に、当該操作面３２の一つ（下）並びに当該出力スクリーン３６の当該ディスプレイの一部（上）が表されている。
【００５８】
図２ａから図２ｃに示した当該状況において、当初は、当該操作面３２はタッチされず、当該出力スクリーン３６にも情報の出力は行われていない（図２ａ）。
【００５９】
さて、ユーザが、図２ｂに示したように、同人の手４４の二本の指を当該操作面３２上に載置すると、同人は当該二本の指で同時に当該操作面３２をタッチしたこととなり、これによって、二つの異なったタッチポイント４６が生み出される。
【００６０】
当該ユーザは同人の手を当該操作面３２の任意のどの箇所にも置くことができあるいは同人の指で当該操作面３２の任意のどの箇所もタッチすることが可能であり、本方法がこれによって妨げられるようなことはない。
【００６１】
当該操作面３２への当該指の当該タッチないし当該タッチポイント４６は、当該制御ユニット３４によって認識され、その際、当該制御ユニット３４は、タッチポイント４６の当該個数も検知する。
【００６２】
その際、当該制御ユニット３４は、指による当該タッチに由来するタッチないしタッチポイント４６のみを顧慮する。タッチポイント４６が指によって生み出されたか否かの認識は、例えば、当該タッチポイント４６相互の当該位置の解析によって行うことができるが、というのもそれは、当該タッチポイント４６相互の当該位置は人体の解剖学的構造によって定まっているからである。
【００６３】
当該タッチポイント４６の当該大きさも決定的であり得る。こうして、例えば、手４４の当該母指球による当該操作面３２の当該タッチを認識すると共に、それを無視することができる。
【００６４】
これにより、当該制御ユニット３４は、当該タッチポイント４６がいずれの指で生み出されたかも認識することができる。
【００６５】
また、当該制御ユニット３４が、当該操作面３２が左手で操作されるか又は右手で操作されるかを認識することも思量可能である。
【００６６】
当該制御ユニット３４が当該タッチポイント４６の当該個数―それゆえ、この場合、二つのタッチポイント４６―を認識すると、該制御ユニットは、当該タッチポイント４６の当該数に対応した、例えば、当該制御ユニット３４のメモリに格納されている一つの機能セットを選択する。
【００６７】
一つの機能セットは、対応する当該機能がそれによって実行可能なそれぞれ一つのジェスチャーに対応した複数の機能を含んでいる。
【００６８】
本発明の範囲において、一つのジェスチャーは、当該操作面３２又は当該ユーザの手４４の配向に対する所定の方向への当該タッチポイント４６の一つの相対運動から形成されている。また、一つのジェスチャーは、方向転換を含む複雑な運動例えばジグザグ運動、回転運動等を含むことができる。
【００６９】
ただし、本発明の範囲において、例えば、対応する当該指が、その間、当該操作面３２から持ち上げられ、続いて、当該指がそこから持ち上げられたのと基本的に同じ箇所に再び載置されたために、当該タッチポイント４６の一つが一定の時間だけ存在しなかった類の運動も一つのジェスチャーに該当する。
【００７０】
一定の当該タッチポイント４６から指が引き離され、新たなタッチによって再び当該タッチポイントが生み出される当該頻度又は当該指が当該操作面３２上に新たに載置されるまでの当該時間は、当該ジェスチャーの一部であってよく、これらをさまざまなジェスチャーの区別に援用することが可能である。
【００７１】
例えば、以下のジェスチャーを区別することができる。タップ（“Ｔａｐ”）、ダブルタップ（“Ｄｏｕｂｌｅ‐Ｔａｐ”）、タップアンドホールド（“Ｔａｐ‐ａｎｄ‐Ｈｏｌｄ”）、ドラッグ（“Ｄｒａｇ”）、スワイプ（“Ｓｗｉｐｅ”）、サークル（“Ｃｉｒｃｌｅ”）及びシャッフル（“Ｓｈｕｆｆｌｅ”）。
【００７２】
タップに際しては、少なくとも一本の対応する当該指が当該操作面３２から引き離され、その後に、短時間だけ再び当該操作面３２がタップされる。ダブルタップに際しては、当該指で二回、短時間だけ続けて当該操作面３２がタップされる。これによって、短時間の間に再び、当該制御ユニット３４によって認識され得る少なくとも一つの当該タッチポイント４６が生ずる。
【００７３】
タップアンドホールドに際しては、当該指は当該操作面３２の当該タップの後そのままにしておかれ、その際、当該指が当該操作面３２の当該タップの後、同所に所定の時間だけ保持されると、当該ジェスチャーは完全に行われたものとして認識される。
【００７４】
ドラッグに際しては、少なくとも一本の当該指と共に、対応する少なくとも一つの当該タッチポイント４６が当該操作面３２上を運動させられて、当該運動の後、当該操作面３２に接触したままとされる。
【００７５】
スワイプはドラッグと類似しており、その際、当該指は当該運動の最後に当該操作面３２から持ち上げられる。
【００７６】
ジェスチャー“サークル”に際しては、少なくとも一本の当該指と共に、対応する少なくとも一つの当該タッチポイント４６が、当該操作面上を円を描いて運動させられる。その際、当該ジェスチャーは、早くも、当該円の一定の区間例えば半円が描かれると、認識されることができる。時計回り方向の円運動と反時計回り方向の円運動とは異なったジェスチャーであってよい。
【００７７】
ジェスチャー“シャッフル”に際しては、少なくとも一本の当該指と共に、対応する少なくとも一つの当該タッチポイント４６が、第一の所定の方向へ運動させられ、続いて、特に当該第一の方向とは反対向きの第二の所定の方向へ運動させられる。
【００７８】
上述したジェスチャーは一例でしかないことは言うまでもない。さらに、もっと複雑な、例えば“Ｌ”字形のような運動経過を有するその他のジェスチャーも思量可能である。
【００７９】
所定の方向とは、当該操作面３２の当該配向又は当該ユーザの当該手４４の配向を基準にして定められている。当該ユーザの当該手４４の当該配向は、当該制御ユニット３４によって認識可能である。
一つの機能セット内の当該機能は、好ましくは、テーマが類似しているか又は自動車の当該同一コンポーネントに関係している。
【００８０】
例えば、当該空調設備の制御に使用される、当該機能セット“空調設備”の当該機能は、“目標温度の引下げ”、“ファン速度の引上げ”、“ウィンドウヒーティング”及び“空気再循環運転”の各機能を表している。
【００８１】
その他の機能セットは、例えば、“ナビゲーション”、“エンターテインメント”、“電話”及び“自動モード”である（図４、参照）。
【００８２】
図示実施例において、二つのタッチポイント４６による当該操作面３２のタッチは、当該制御ユニット３４によって相応してセレクトされる当該機能セット“空調設備”に対応している。
【００８３】
当該制御ユニット３４は、続いて、当該出力スクリーン３６上に、認識されたタッチポイント４６の当該個数を―ここでは、対応する手のアイコン５０によって―表示し、セレクトされた当該機能セットを―ここでは、対応するシンボル５２によって―表示する。
【００８４】
さらに、当該制御ユニット３４により、セレクトされた当該機能セット“空調設備”に含まれている当該機能が機能シンボル５４によって表示される。当該ユーザは、これらの当該機能を、二本の指によるジェスチャーによって、つまり、二つのタッチポイント４６によるジェスチャーで実行ないし達成することができる。
【００８５】
図示実施例において、当該ユーザは、空調設備の当該目標温度を引上げようとしている。この機能“目標温度の引上げ”には、当該ジェスチャー“上方へのドラッグ”が対応している。単純化のために、本説明において、当該方向指示は当該描図面に行われている。
【００８６】
したがって、当該ユーザは、対応する当該ジェスチャーを、図２ｃに具体的に示されているようにして実行する。
【００８７】
図２に示した当該状況において、当該ユーザは同人の二本の指を上方へ動かし、その結果、当該二つのタッチポイント４６は、同様に、当該ユーザの当該手に対して、上方への相対運動を行う。
【００８８】
当該制御ユニット３４は、当該タッチポイント４６の当該運動及び当該軌跡を検知し、こうして、実行された当該ジェスチャーを決定する。したがって、この場合、当該制御ユニット３４は、当該タッチポイント４６が当該所定の方向（上方）へ向かって基本的に直線を描いて運動させられた当該ジェスチャー“上方へのドラッグ”を認識する。
【００８９】
一つのジェスチャーは、それが、先んじて認識されたすべてのタッチポイント４６によって完全に実行された場合にのみ、当該制御ユニット３４によって顧慮される。この場合にのみ、対応する当該機能が当該制御ユニット３４によって実行される。
【００９０】
このジェスチャーには当該機能“目標温度の引上げ”が対応しているために、当該制御ユニット３４は当該空調設備の当該目標温度を引き上げる。
【００９１】
同時に、当該制御ユニット３４は、当該出力スクリーン３６上に目下セレクトされている当該目標温度を表示し、当該ジェスチャーの当該実行時に該表示を変更する。
【００９２】
当該目標温度の変更数値は、例えば、当該タッチポイント４６の当該移動距離に基づいて検知することが可能である。別法として又はさらに加えて、当該数値を、当該ジェスチャー実行中の当該タッチポイント４６の当該速度又は当該加速度によって検知することも可能である。
【００９３】
当該所望の目標温度が設定されたら、当該ユーザは同人の手を当該操作面３２から引き離し、これによって、当該タッチポイント４６は消失する。
【００９４】
当該マンマシンインタフェース３０との当該対話はかくて終了し、当該制御ユニット３４は、遅くともこの時点に、当該ユーザの当該入力をメモリするか又はそれを対応する当該自動車コンポーネントに引き渡す。
【００９５】
ただしまた、当該ユーザが直ちに続いて、例えば同人が同人指を下方へ向かって動かすことによって、さらに別のジェスチャーを実行することも思量可能である。このジェスチャー、つまり“下方へのドラッグ”には、機能として、当該空調設備の当該目標温度の引下げが対応している。当該制御ユニット３４は、当該運動に応じて、当該目標温度を適合化し、当該温度値を当該出力スクリーン３６を経て出力する。
【００９６】
したがって、当該ユーザには、同人が当該二本の指で当該目標温度のためのスクロールバーを動かしているかのようなイリュージョンが生ずる。
【００９７】
その他の機能例えば“ファン速度の引上げ”及び“ファン速度の引下げ”は、例えば、当該手４４に対する横方向への運動、したがって、ジェスチャー“右方向へのドラッグ”ないし“左方向へのドラッグ”に対応している。
【００９８】
また、当該ジェスチャー“時計回り方向の円運動”及び“反時計回り方向の円運動” によって、当該機能“ウィンドウヒーティング”ないし“空気再循環運転”が達成されるようにすることも思量可能である。
【００９９】
当該ユーザは、こうして、一つの個別のジェスチャーで、まったく意図的に一つの特定の機能を実行することができる。
【０１００】
図示実施例において、当該機能ないし当該機能セットは、当該タッチポイント４６の当該個数つまり使用された指の当該本数に基づいてセレクトされた。別法として又はさらに加えて、当該機能ないし当該機能セットは、当該制御ユニット３４によって、いずれの指が使用されるかに応じてセレクトされることも可能である。
【０１０１】
当該制御ユニット３４は、当該ドライバー又は当該助手席同乗者向けに異なった機能を供することができるように、当該操作面３２が左手で操作されるか又は右手で操作されるかに応じて、当該機能ないし当該機能セットをセレクトすることもできることは言うまでもない。
【０１０２】
図３ａから図３ｃに示した当該状況において、当該ドライバーは、今や、現下の当該通話を一つのジェスチャーで終了させようとしている。さしあたり、図３ａに示したように、当該操作面３２上にはなんらのタッチないしタッチポイント４６も存在していない。当該機能“通話断”は、それが三つのタッチポイント４６で行われる場合のジェスチャー“シャッフル”に対応している。
【０１０３】
したがって、当該ユーザは、通話断のために、同人の手４４の三本の指で、当該操作面３２の任意の箇所をタッチし（図３ｂ）、これによって、当該機能セット“電話”がセレクトされる。続いて、当該ユーザは、当該操作面３２上で同人の三本の指を短時間右方へ、その後、当該反対方向へ、つまり、当該手４４に対して左方へ運動させる。
【０１０４】
当該制御ユニット３４は、当該ジェスチャー“シャッフル”を認識し、当該ジェスチャーに対応する当該機能を実行する。それは、この場合、当該ユーザによって所望されている電話通話の終了である。
【０１０５】
その間に、当該ユーザは、当該出力スクリーン３６を経て、視覚的フィードバックを得る。
【０１０６】
図４ａから図４ｃに示した当該状況において、当該出力スクリーン３６に表示されるメニューにおいて、ナビゲーションのための当該ジェスチャーが使用される。
【０１０７】
図４ａに示した当該状況において、当該ユーザは、同人がさまざまな自動車コンポーネントを選択し得るメニューを前にしている。当該自動車コンポーネントはさまざまなシンボル５６によって表され、その際、図４ａに示した当該状況において、当該シンボル“メインメニュー”がカーソルによってマークされている。
【０１０８】
ところで、当該ユーザは当該メニュー“電話通信”を利用しようとしており、その際、当該カーソルの当該運動は一本の指のジェスチャーによって達成される。
【０１０９】
したがって、当該ユーザは一本の指を当該操作面３２上に置き、当該操作面３２上でその指を右方へ運動させる。
【０１１０】
したがって、当該ユーザは、一本の指で当該ジェスチャー“右方へのスワイプ”を実行する。これによって、対応する当該タッチポイント４６は、対応する当該ジェスチャーを行う。このジェスチャーには、一つのメニューポイントをセレクトするために当該カーソルが右方へ運動させられるという当該機能が対応している。
【０１１１】
したがって、当該制御ユニット３４はこの機能を実行し、当該カーソルは最終的に、図４ｂに示すように、当該空調設備のための当該シンボル５６上に位置している。
【０１１２】
その後、当該ユーザは、同人指を下方へ運動させるため、当該タッチポイント４６も下方へ運動させられる。
【０１１３】
こうして、当該タッチポイント４６は、さらに別のジェスチャーつまり“下方へのスワイプ”を行う。このジェスチャーには、当該カーソルの下方への運動が対応している。
【０１１４】
これに応じて、当該制御ユニット３４は、当該カーソルを下方の、当該自動車コンポーネント“電話”のシンボル上に運動させる。
【０１１５】
当該ユーザは、今や、同人所望のこの自動車コンポーネントをセレクトしようとし、そのために、同人指を短時間だけ当該操作面３２から引き離して、その指を再び同じ当該箇所に置く。
【０１１６】
これによって、当該タッチポイント４６は、当該機能“セレクト”に対応する当該ジェスチャー“タップ”を行う。したがって、当該制御ユニット３４は当該自動車コンポーネント“電話通信”をセレクトする。
【０１１７】
別法として又はさらに加えて、当該機能“セレクト”は、他のジェスチャー例えばジェスチャー“タップアンドホールド”のように一箇所に指が長く置かれるジェスチャーに対応させられていてもよい。
【０１１８】
図２から図４に示した当該状況は、別々の実施形態として理解されるには及ばず、単に、当該マンマシンインタフェース３０の利用中におけるさまざまな状況を表しているにすぎない。ただし、これらの状況及び機能は単なる例示として理解されなければならない。
【０１１９】
例えば、当該ユーザは、図４に示したナビゲーション中に、図２に示した二本の指を使用したジェスチャーによって、当該空調設備の当該目標温度を設定し、続いて、同人ナビゲーションを図４に示したように続行することが可能である。したがって、当該ジェスチャーは当該機能への高速アクセスを表している。
【図１ａ】
2019169128.tif 000003
【図１ｂ】
2019169128.tif 000004
【図２ａ】
2019169128.tif 000005
【図２ｂ】
2019169128.tif 000006
【図２ｃ】
2019169128.tif 000007
【図３ａ】
2019169128.tif 000008
【図３ｂ】
2019169128.tif 000009
【図３ｃ】
2019169128.tif 000010
【図４ａ】
2019169128.tif 000011
【図４ｂ】
2019169128.tif 000012
【図４ｃ】
2019169128.tif 000013
【外国語明細書】
2019169128000001.pdf
2019169128000002.pdf
2019169128000003.pdf
2019169128000004.pdf